(57)【要約】【課題】荷物を安定して載置することができるとともに、荷重を支える手の負担を軽減することができ、しかも、不使用時には体の屈曲を妨げることのない荷物運搬具を提供する。【解決手段】作業者の腰回りに巻装したベルトに係止可能とした第１の板の下端部に、下端部を側面視略Ｌ字状に屈曲し、屈曲部の表裏面にそれぞれ荷物載置部を形成した第２の板の上端部を枢支連結して折り畳み自在に構成し、前記第２の板を垂下させた状態で、前記屈曲部の表面に形成された第１の荷物載置部に荷物を載置可能とした第１の姿勢と、前記第２の板を上方へ回動して前記屈曲部先端を前記第１の板の表面に突合わせた状態で、前記屈曲部の表面に形成された第２の荷物載置部に荷物を載置可能とした第２の姿勢とに、選択的に切り換え可能とした。【選択図】図１
2007302448.tif 000002
【特許請求の範囲】
【請求項１】
作業者の腰回りに巻装したベルトに係止可能とした第１の板の下端部に、下端部を側面視略Ｌ字状に屈曲し、屈曲部の表裏面にそれぞれ荷物載置部を形成した第２の板の上端部を枢支連結して折り畳み自在に構成し、
前記第２の板を垂下させた状態で、前記屈曲部の表面に形成された第１の荷物載置部に荷物を載置可能とした第１の姿勢と、
前記第２の板を上方へ回動して前記屈曲部先端を前記第１の板の表面に突合わせた状態で、前記屈曲部の表面に形成された第２の荷物載置部に荷物を載置可能とした第２の姿勢とに、選択的に切り換え可能としたことを特徴とする荷物運搬具。
【請求項２】
前記第２の板の左右両端部には、切欠部を設けていることを特徴とする請求項１に記載の荷物運搬具。
【請求項３】
前記切欠部は、前記第２の板が先細状となるように、上端部から前記荷物載置部に向けて切り欠いていることを特徴とする請求項２に記載の荷物運搬具。
【発明の詳細な説明】
【技術分野】
【０００１】
本発明は、荷物運搬具に関し、特に、腰部に巻装したベルトに装着して使用する荷物運搬具に関する。
【背景技術】
【０００２】
従来より、荷物の運搬は、運送業に携わる人のみならず、工場等の生産現場や、小売店への納品作業など非常に多くの場で行われている。
【０００３】
このような運搬作業では、比較的運搬距離が短い場合、自動車やフォークリフトなどの機器類を用いることなく、手作業での荷物の運搬がしばしば行われている。
【０００４】
特に、手作業での荷物の運搬では、荷台の裏面にキャスターを付け、把持部を立設したいわゆる台車が多く用いられており、この台車に荷物を載せて移動させることで、作業者の負担を軽減しながら、荷物を快適に運搬することができるようにしている。
【０００５】
しかしながら、台車を用いた荷物の運搬は、舗装された平地や斜面で荷物を運搬するには適しているものの、階段を通らなくてはならない場合や悪路等では運搬具としての機能を必ずしも発揮することはできなかった。
【０００６】
また、作業者の背面で荷物を背負うようにした背負子が知られているが、作業者の目の届かない背面で荷物を支えることとなるため、荷崩れを防ぐべく荷物に紐を掛け回す必要があり、数十メートル程度の距離を往復しながら幾度も荷物を運搬する際には、逐一荷物に紐を掛け回す必要があり、多大な手間を要する場合があった。
【０００７】
そこで、腰部に装着するベルトの直前方に荷物を載置する載置台を配設し、作業者の前面で荷物を支える荷物運搬具が提案されている。
【０００８】
この荷物運搬具によれば、作業者の腰部に荷重を分散させることができ、荷物を把持する手や腕の負担を軽減しながら手軽に荷物を運搬することができるとしている（例えば、特許文献１参照）。
【特許文献１】特開平１１−５６４７３号公報
【発明の開示】
【発明が解決しようとする課題】
【０００９】
しかしながら、ベルトの直前方に荷物の載置台を配設した上記従来の荷物運搬具では、載置台に荷物を載置した際に、同載置台がベルトを支点として大きく回動する恐れがあり、荷物の荷重を手で支える割合が大きく、重量物の運搬具としては、実用性が疑問視されるものであった。
【００１０】
本発明は、斯かる事情に鑑みてなされたものであって、荷物を安定して載置することができるとともに、荷重を支える手の負担を軽減することができ、しかも、不使用時には体の屈曲を妨げることのない荷物運搬具を提供する。
【課題を解決するための手段】
【００１１】
上記課題を解決するために、本発明に係る荷物運搬具では、作業者の腰回りに巻装したベルトに係止可能とした第１の板の下端部に、下端部を側面視略Ｌ字状に屈曲し、屈曲部の表裏面にそれぞれ荷物載置部を形成した第２の板の上端部を枢支連結して折り畳み自在に構成し、前記第２の板を垂下させた状態で、前記屈曲部の表面に形成された第１の荷物載置部に荷物を載置可能とした第１の姿勢と、前記第２の板を上方へ回動して前記屈曲部先端を前記第１の板の表面に突合わせた状態で、前記屈曲部の表面に形成された第２の荷物載置部に荷物を載置可能とした第２の姿勢とに、選択的に切り換え可能とした。
【００１２】
また、以下の点にも特徴を有する。
（１）前記第２の板の左右両端部には、切欠部を設けていること。
（２）前記切欠部は、前記第２の板が先細状となるように、上端部から前記荷物載置部に向けて切り欠いていること。
【発明の効果】
【００１３】
請求項１に記載の本発明では、作業者の腰回りに巻装したベルトに係止可能とした第１の板の下端部に、下端部を側面視略Ｌ字状に屈曲し、屈曲部の表裏面にそれぞれ荷物載置部を形成した第２の板の上端部を枢支連結して折り畳み自在に構成し、第２の板を垂下させた状態で、屈曲部の表面に形成された第１の荷物載置部に荷物を載置可能とした第１の姿勢と、第２の板を上方へ回動して屈曲部先端を第１の板の表面に突合わせた状態で、屈曲部の表面に形成された第２の荷物載置部に荷物を載置可能とした第２の姿勢とに、選択的に切り換え可能としたため、荷物の重量や形に応じて第１の姿勢と第２の姿勢とを適宜選択することができるとともに、荷物載置部に荷物を安定して載置することができ、しかも、不使用時には作業者の体の屈曲を妨げることのない荷物運搬具を提供することができる。
【００１４】
また、請求項２に記載の本発明では、第２の板の左右両端部には、切欠部を設けているため、荷物運搬具を第１の姿勢としながら歩行する場合において、作業者の大腿部が第２の板に接触して作業効率が低下するのを防止することができる。
【００１５】
さらに、請求項３に記載の本発明では、切欠部は、第２の板が先細状となるように、上端部から荷物載置部に向けて切り欠いていることとしているため、作業者の大腿部が第２の板に接触して作業効率が低下するのをさらに防止することができる。
【発明を実施するための最良の形態】
【００１６】
本発明に係る荷物運搬具は、作業者の腰回りに巻装したベルトに係止可能とした第１の板の下端部に、下端部を側面視略Ｌ字状に屈曲し、屈曲部の表裏面にそれぞれ荷物載置部を形成した第２の板の上端部を枢支連結して折り畳み自在に構成し、前記第２の板を垂下させた状態で、前記屈曲部の表面に形成された第１の荷物載置部に荷物を載置可能とした第１の姿勢と、前記第２の板を上方へ回動して前記屈曲部先端を前記第１の板の表面に突合わせた状態で、前記屈曲部の表面に形成された第２の荷物載置部に荷物を載置可能とした第２の姿勢とに、選択的に切り換え可能としている。
【００１７】
特に、本発明に係る荷物運搬具の第１の姿勢における第１の荷物載置部は、第１の板の下端部から垂下させた第２の板のさらに下端部に位置しており、ベルトよりも下方となるように同第１の荷物載置部を配設しているので、載置部がベルトを支点として大きく回動する恐れがなく、安定して荷物を載置し、運搬することができる。
【００１８】
ここで、第１の姿勢において、第１の荷物載置部の位置は、作業者の股の位置よりも若干低い位置であることが好ましい。
【００１９】
このような位置に荷物載置部を設けることにより、荷重を腰部に分散させるとともに、腕や手への負担を軽減することができ、しかも、荷物を体の重心よりも低い位置で無理なく抱えることができるので、荷物を快適に運搬することができる。
【００２０】
また、本発明に係る荷物運搬具を第２の姿勢とすることによっても、荷物を快適に運搬することができる。すなわち、比較的軽量の荷物や小型の荷物を運搬する場合には、第２の姿勢とすることで、第１の姿勢に比してやや高位置で荷物を載置することができるので、腕を屈曲させた状態で荷物を運搬することができ、腕にかかる負担をさらに軽減することができる。
【００２１】
また、腕を屈曲させた状態で荷物を運搬可能としたことにより、腕の自由度が向上するため、運搬作業中のドアの開閉等を楽に行うことができる。
【００２２】
また、第２の姿勢では、第２の板が荷物の運搬中に、作業者の大腿部に接触することがなく、円滑に足を進めることができ、荷物を運搬する負担を軽減しながらも作業効率を向上させることができる。
【００２３】
しかも、第２の姿勢は、作業者の腰部でコンパクトに折り畳まれた状態でもあるので、荷物を運搬していない状態であっても、体の動きを妨げることがなく、違和感なく常に装着しておくことができる。
【００２４】
このことは、再び運搬作業を行うにあたって、再度荷物運搬具を装着する手間を省くことができるため、速やかに荷物運搬作業を開始することができ、運搬作業の能率を向上させることができる。
【００２５】
さらに、本発明に係る荷物運搬具では、第２の板の左右両端部には、切欠部を設けている。すなわち、荷物を運搬する際に、作業者の歩行に併せて大腿部が上下することとなるが、第１の姿勢では、第２の板が作業者の大腿部に当接しやすくなり、載置した荷物が不安定となることが考えられる。
【００２６】
そこで、第２の板の両端部に大腿部が若干露出するように切欠部を設けることで、できるだけ第２の板と大腿部との接触を緩和し、荷物を安定して運ぶことができるようにしている。
【００２７】
特に、この切欠部を設けることにより、階段や上り坂で荷物を運搬する際に、第２の板と大腿部との接触を効果的に緩和することができる。
【００２８】
また、この切欠部は、第２の板が先細状となるように、上端部から前記荷物載置部に向けて切り欠いている。
【００２９】
すなわち、荷物運搬具の正面視において、第２の板を、例えば倒立した略台形状とすることにより、作業者の運動性をより向上させることができる。
【００３０】
なお、この切欠部は、直線状に切り欠くことで容易に形成することができるが、大腿部の形状にあわせて、曲線状に切り欠くようにしても良い。たとえば、第２の板の内方へ膨らみを持たせて切り欠いて切欠部とすることで、第２の板と作業者の大腿部との接触をさらに回避することができ、運搬作業をより快適なものとすることができる。
【００３１】
以下、本実施形態に係る荷物運搬具について、図面を参照しながら詳説する。
【００３２】
図１は、本実施形態に係る荷物運搬具Ａの第１の姿勢における全体を示した斜視図である。図１に示すように、荷物運搬具Ａは、縦約13ｃｍ×横約20ｃｍ、厚さ約２ｍｍのステンレス板で形成した正面視略矩形状の第１の板１の下端部に、正面視略台形状の第２の板２を、荷物運搬具Ａの左右方向に軸線を向けた蝶着部材３で連結して形成している。
【００３３】
図２は、荷物運搬具Ａの第１の姿勢における正面図である。図中、第１の板１と、第２の板２との間に介設した蝶着部材３は、第１の板１と、第２の板２とを回動可能に連結するものであれば良く、例えば、一般に市販されている蝶番を用いることができる。
【００３４】
このように構成することで、第２の板２を第１の板１に対して上下方向へ揺動可能とすることができ、第２の板２を垂下させた状態の第１の姿勢と、第２の板２の先端部に形成した後述する屈曲部13を第１の板１の突き合わせた第２の姿勢とをとることができることとなる。
【００３５】
また、図２では、蝶着部材３を別体として設けているが、第１の板１及び第２の板２自体を蝶着部材３として構成するようにしても良い。
【００３６】
第２の板２の両側部には、図２中に一点鎖線で示す荷物運搬具Ａの中心線Ｘに向かうように下方に向けて直線状に切り欠いて、切欠部４を形成している。
【００３７】
ここで、第２の板２を直線状に切り欠く切欠角度Ｒは、15〜25度、好ましくは18〜22度とするのが良い。15度未満であると、第２の板２と大腿部との接触が多くなり、作業効率を低下させる恐れがある。また、25度より大きい角度とすると、後述する第１の荷物載置部９及び第２の荷物載置部11の面積が減少して荷物を載置した際に安定性を欠くこととなる。本実施形態では、切欠角度Ｒを20度としている。
【００３８】
このように形成することにより、作業者が持つを把持しながら運搬する際に、大腿部が第２の板２に接触して作業効率を低下させることを防止することができる。
【００３９】
また、第１の板１の中央部上方には、荷物運搬具Ａを折り畳んだ際、すなわち第１の姿勢から第２の姿勢に変更した際に、第２の板２を係止するための係止部８aを配設している。
【００４０】
この係止部８aは、第１の板１と、第２の板２とを着脱自在に係止可能であれば良く、たとえば、面ファスナーや磁石や市販の係止具を適宜採用することができる。
【００４１】
なお、本実施例によれば、第１の板１と第２の板２は、平面状としているが、これに限定されるものではなく、たとえば、第１の板１を中央部に向かって凸状に湾曲させて、腹部に密着させるように形成しても良い。このように形成することで、作業者に荷物運搬具Ａがぴったりとフィットすることとなり、荷物の運搬作業をより快適なものとすることができる。
【００４２】
図３は、荷物運搬具Ａの第１の姿勢における背面図を示している。第１の板の背面には、上方の両側部に、矩形状のシート体６をリベット７で略ループ状に着設してベルト通し穴５を形成している。
【００４３】
すなわち、作業者は、腰部に巻装しているベルトを、このベルト通し穴５に挿通させることにより、荷物運搬具Ａを腰部に装着することができる。
【００４４】
ここで、シート体６は運搬する荷物の荷重に耐えうる素材であればよく、たとえば、革、合成皮革、布、金属、樹脂などで形成することができる。
【００４５】
また、このベルト通し穴５の幅は、第１の板１の幅の略３分の１としており、第１の板１の左右両側に設けたベルト通し穴５、５の間には、ベルトを挿通した際にベルトが露出する露出部15を形成している。
【００４６】
この露出部15を形成することにより、例えば図３中一点鎖線で示すように、ベルト通し穴５、５にそれぞれ紐やベルトを挿通し、露出部15から抜き出して、作業者の首や肩に掛け回すことができ、荷物の荷重を首や肩に文作させることができる。
【００４７】
したがって、腰のみに荷重を分散させたときよりも、さらに快適に荷物を運搬させることができる。
【００４８】
図４〜図７は、それぞれ荷物運搬具Ａの第１の姿勢における平面図、底面図、左側面図、右側面図を示している。図４〜図７に示すように、第２の板２の下端部には、同第２の板２を屈曲させて屈曲部13を形成しており、この屈曲部13の一方の面を第１の荷物載置部９、他方の面を第２の荷物載置部11とし、作業者が運搬する荷物を載置可能としている。
【００４９】
すなわち、荷物運搬具Ａを第１の姿勢とした場合において、屈曲部13の上面となる面を第１の荷物載置部９とするとともに、荷物運搬具Ａを第２の姿勢とした場合において、屈曲部の上面となる面を第２の荷物載置部11としている。
【００５０】
したがって、本発明に係る荷物運搬具Ａでは、第１の姿勢または第２の姿勢のどちらの姿勢をとっている場合であっても、荷物を載置して運搬することができる。
【００５１】
なお、ここで、第１の荷物載置部９及び／または第２の荷物載置部11には、滑り止めを配設するようにしても良い。たとえば、ゴムや樹脂等の弾性素材をシート状に形成し、これを第１の荷物載置部９及び／または第２の荷物載置部11に貼付することにより、運搬中の荷物の滑りを防止することができ、作業効率を向上させることができる。
【００５２】
また、この屈曲部13の先端は、さらに折曲させて係止面10を形成しており、この係止面10の略中央部分に係止部８bを配設している。
【００５３】
この係止面10に配設した係止部８bは、荷物運搬具Ａを第１の姿勢から第２の姿勢に変更した際に、前記第１の板１の上部に設けた係止部８aと当接して第２の板２を係止し、荷物運搬具Ａが意に反して第１の姿勢に戻ることを防止するようにしている。
【００５４】
また、係止面10の折り曲げ角度は、荷物運搬具Ａが第２の姿勢となった際に、第１の板１と平行になるような角度としている。このような角度とすることにより、第１の板１に配設した係止部８aと、係止面10に配設した係止部８bとが平行に当接することとなり、第2の姿勢をしっかりと保持することができる。
【００５５】
また、図６及び図７からも分かるように、第２の板２の下端部は、所定の角度Ｓで折曲させて屈曲部13を形成している。
【００５６】
この所定の角度Ｓは、第１の荷物載置部９への荷物の載せやすさを決める角度であるとともに、荷物運搬具Ａが第２の姿勢をとった際に、第２の荷物載置部11への荷物の載せやすさを決める角度でもある。
【００５７】
特に、本実施形態に係る荷物運搬具Ａでは、この角度Ｓを75〜85度、さらに好ましくは78〜83度としている。このような角度とすることにより、第１の姿勢で第１の荷物載置部９に荷物を安定して載置することができるとともに、第２の姿勢で第２の荷物載置部11にも安定して荷物を載置することができる。
【００５８】
次に、図８〜14を用いて、第２の姿勢とした際の荷物運搬具Ａについて説明する。
【００５９】
図８は、本実施形態に係る荷物運搬具Ａの第２の姿勢における全体を示した斜視図である。図８に示すように、第２の姿勢は、第２の板２を蝶着部材３の軸を中心に回動させ、係止面10の略中央部に配設した係止部８bを、第１の板１の上部に設けた係止部８aに当接させて、第２の板２を係止した状態である。
【００６０】
このように第２の姿勢を選択可能とすることにより、荷物運搬具Ａを使用していない場合でも、体の動きを妨げることなく、作業者は腰部に常時装着しておくことができる。
【００６１】
そして、図９〜12に示すように、第２の荷物載置部11を上方に向けることにより、同第２の荷物載置部11に荷物を載置可能としている。
【００６２】
この第２の荷物載置部11は、図13及び図14からも分かるように、作業者が荷物運搬具Ａを装着した際に、やや斜め下前方に傾斜するようにしている。
【００６３】
これにより、第２の荷物載置部11に載置した荷物の荷重によって、第１の板１に設けた係止部８aと係止面10に設けた係止部８bとがより密着することとなり、荷物の搬送中に、予期せず第２の姿勢から第１の姿勢に変わることなく、安定して荷物を搬送することができる。
【００６４】
また、図13及び図14に示すように、第２の姿勢をとった際に、第１の板１と第２の板２とを折り畳む角度となる折り畳み角度Ｔは、15〜45度、好ましくは25〜35度とするのが良い。
【００６５】
この折り畳み角度Ｔを15度未満とすると、屈曲部13の長さが短くなるために、第２の荷物載置部11の面積が減少して、荷物を安定して載置することが困難となる。
【００６６】
また、折り畳み角度Ｔを45度よりも大きい角度とすると、屈曲部13が作業者の前方へ大きく突出するこことなるため、荷物運搬具Ａの不使用時に体の動きを妨げる恐れがある。
【００６７】
すなわち、折り畳み角度Ｔを25〜35度とすることは、第２の荷物載置部11に荷物を安定して載置することができるとともに、荷物運搬具Ａの不使用時には、同荷物運搬具Ａを装着している違和感を作業者に与えない角度である。なお、本実施形態では、この角度を略32度としている。
【００６８】
このように、荷物運搬具Ａを上述の構成とすることにより、第１の姿勢と、第２の姿勢とを所望により適宜選択可能にすることができ、快適かつ安定に荷物を運搬することができる。
【００６９】
図15は、作業者Ｂが本実施形態に係る荷物運搬具Ａを用いて荷物を運搬している状態を示した説明図である。
【００７０】
図15(a)に示すように、作業者Ｂは、同作業者Ｂの腰部に巻装したベルト21を、前述したベルト通し穴５、５に挿通し、第２の板２を垂下させて荷物運搬具Ａを第１の姿勢としながら作業を行っている。
【００７１】
この際に、荷物20は、第１の荷物載置部９に載置されており、同荷物20の荷重は、荷物運搬具Ａと、作業者Ｂの腰部に巻装したベルト21を介して作業者Ｂの腰に分散されることとなる。したがって、作業者Ｂの腕には荷物20の荷重による負担があまりかからないため、作業者Ｂは荷物20を支えるだけで特に力を必要とすることなく、快適に荷物20を運搬することができる。
【００７２】
なお、図15(a)では、荷物20の面を第１の板１に対して略平行に載置しながら運搬しているが、たとえば、図16(a)に示すように、点線で示す荷物20の角の部分が第１の荷物載置部９の略中央部となるように載置（以下、斜め置きともいう）することにより、第２の板２に設けた切欠部４の効果をさらに顕著に引き出すことができる。
【００７３】
また、図16(a)に示すように荷物20を載置する場合には、第２の板２の表面に滑り止め体30を設けるようにして、第１の荷物載置部９上で荷物20が左右方向に滑って移動するのを防止するようにしても良い。特に本実施例では、第２の板２の表面に上下方向へ向けて２本の三角柱31、31を配設して滑り止め体30を形成している。
【００７４】
そして、の三角柱31、31の間に形成した嵌合部33に、荷物20の角部35を嵌合させて、荷物20が左右方向に移動しないようにしている。
【００７５】
ここで、三角柱31、31の間に形成した嵌合部33の開口角度Ｕは、70〜110度、さらに好ましくは80〜100度とするのが良い。開口角度Ｕが70度を下回ると、嵌合部33の開口が狭くなり、荷物20の角部35が嵌合部33に嵌合しにくくなるので、運搬中に荷物20が第１の荷物載置部９上で滑りやすくなる。また、開口角度Ｕが110度を上回ると、嵌合部33の開口が広すぎて荷物20を係止する能力が低下するため、運搬中に荷物20が第１の荷物載置部９上で滑りやすくなる。
【００７６】
すなわち、荷物20の角部35が嵌合するように、嵌合部33の開口角度Ｕを80〜100度とすることにより、荷物20を斜め置きした際に角部35をしっかりと係止することができて、運搬中に荷物20が左右方向へ滑ることを防止することができる。
【００７７】
また、滑り止め体30は、三角柱31、31の上部を切り欠いて斜面部34、34を形成しているが、この斜面部34、34は、荷物運搬具Ａを第２の姿勢とした際に、滑り止め体30が折り畳みを阻害しないようにするためのものである。
【００７８】
なお、本実施形態では、斜面部34、34を形成して折り畳みを阻害しないようにしているが、荷物運搬具Ａを第２の姿勢とした際に、滑り止め体30が第１の板１に当接しない程度に滑り止め体30の長さを短く形成するようにしても良い。
【００７９】
この滑り止め体30を構成する素材は特に限定されるものではないが、例えば弾性素材で形成するようにしても良い。ゴムや樹脂などの弾性素材で滑り止め体30を形成することにより、荷物20の角部35を嵌合部33にしっかりと嵌合させることができ、左右方向への滑りをさらに防止することができる。
【００８０】
本実施形態では、滑り止め体30を第２の板２の表面に別体として配設しているが、第２の板２の上下方向に折り曲げ線を入れて嵌合部３３を形成しても良い。このように形成することにより、別体で滑り止め体30を形成する必要がないので、荷物運搬具Ａの製造コストを低減することができる。
【００８１】
また、図15(b)に示すように、作業者Ｂは、同作業者Ｂの腰部に巻装したベルト21を、前述したベルト通し穴５、５に挿通し、第２の板２の係止面10を第１の板１に突き合わせて荷物運搬具Ａを第２の姿勢としながら作業を行っている。
【００８２】
この際に、荷物20は、第２の荷物載置部11に載置されており、同荷物20の荷重は、荷物運搬具Ａと、作業者Ｂの腰部に巻装したベルト21を介して作業者Ｂの腰に分散されることとなる。したがって、作業者Ｂの腕には荷物20の荷重による負担があまりかからないため、作業者Ｂは荷物20を支えるだけで特に力を必要とすることなく、快適に荷物20を運搬することができる。
【００８３】
また、やや斜め下前方に向けて傾斜させた第２の荷物載置部11に載置した荷物20の荷重は、係止面10に配設した係止部８bを、第１の板１の上部に設けた係止部８aへ向けて押さえつける力としても働くため、第２の姿勢から第１の姿勢へ不意に変わることなく、安全に荷物を運搬することができる。
【００８４】
上述してきたように、本発明に係る荷物運搬具Ａでは、作業者の腰部に荷物の荷重を分散させることができるとともに、荷物を安定して搬送することができ、作業効率を向上させることができる。
【００８５】
次に、本発明に係る他の実施形態を図17〜図19に示す。
【００８６】
図17は、図２に示した荷物運搬具Ａの正面図とほぼ同様の形態としているが、第２の板２の左右両側部に正面視略矩形状の掛止穴22、22を穿設している。
【００８７】
この掛止穴22、22には、たとえば、先端に略Ｌ字状の掛止具を備えた紐等の掛止具を引っかけて荷物20に紐を掛け回すことができ、荷物20を固定するための紐を結んだり、ほどいたりする手間を省いて、さらに運搬の作業性を向上させることができる。
【００８８】
すなわち、第１の荷物載置部９に載置した荷物20の左右方向胴回りに、容易に紐を掛け回すことができる。
【００８９】
また、掛止穴22、22を穿設することは、荷物運搬具Ａの重量を軽量化する効果も有している。
【００９０】
なお、図17では、掛止穴22、22を正面視略矩形状としているが、この形状は特に限定されるものではなく、掛止具の形状にあわせて適宜選択することができる。
【００９１】
また、図17では、掛止穴22、22は第２の板２に穿設しているが、この場所は特に限定されるものではなく、第１の板１や、第２の板２の屈曲部13に穿設しても良い。ただし、掛止穴22、22を穿設する場所については、荷物20を載置した際に破損等する等、荷物運搬具Ａの強度が極度に低下する恐れのない場所にするべきである。
【００９２】
図18は、掛止穴22を荷物運搬具Ａの屈曲部13に穿設した例を示している。
【００９３】
この実施形態によれば、第１の荷物載置部９及び第２の荷物載置部11に、掛止穴22を備えることとなるので、第１の荷物載置部９または第２の荷物載置部11に載置した荷物の上下方向に容易に紐を掛け回すことができる。
【００９４】
また、図19は、先述の切欠部４を第２の板の内方へ膨らみを持たせて切り欠いて形成した例を示している。
【００９５】
このように切欠部４を形成することにより、作業者Ｂの大腿部に第２の板２が当接して作業性が悪化することをさらに防止することができる。
【００９６】
最後に、上述した各実施の形態の説明は本発明の一例であり、本発明は上述の実施の形態に限定されることはない。このため、上述した各実施の形態以外であっても、本発明に係る技術的思想を逸脱しない範囲であれば、設計等に応じて種々の変更が可能であることは勿論である。
【００９７】
たとえば、本明細書に記載の実施形態では、作業者Ｂの腰部に巻装したベルトをベルト通し穴５に挿通して、作業者Ｂの腰部に荷物運搬具Ａを装着するようにしているが、これに限定されるものではなく、作業者Ｂの腰回りに巻装可能なベルト等の帯状体を予め荷物運搬具Ａに配設しても良い。この際、帯状体の端部同士を連結するための連結部材は、一般に市販されているバックル等を備えることで利便性を向上させることができ、たとえば樹脂で形成した雄雌一対のスナップ型バックルなどが好適である。
【図面の簡単な説明】
【００９８】
【図１】本発明に係る荷物運搬具の第１の姿勢における全体を示した斜視図である。
【図２】本発明に係る荷物運搬具の第１の姿勢における正面図である。
【図３】本発明に係る荷物運搬具の第１の姿勢における背面図である。
【図４】本発明に係る荷物運搬具の第１の姿勢における平面図である。
【図５】本発明に係る荷物運搬具の第１の姿勢における底面図である。
【図６】本発明に係る荷物運搬具の第１の姿勢における左側面図である。
【図７】本発明に係る荷物運搬具の第１の姿勢における右側面図である。
【図８】本発明に係る荷物運搬具の第２の姿勢における全体を示した斜視図である。
【図９】本発明に係る荷物運搬具の第２の姿勢における正面図である。
【図１０】本発明に係る荷物運搬具の第２の姿勢における背面図である。
【図１１】本発明に係る荷物運搬具の第２の姿勢における平面図である。
【図１２】本発明に係る荷物運搬具の第２の姿勢における底面図である。
【図１３】本発明に係る荷物運搬具の第２の姿勢における左側面図である。
【図１４】本発明に係る荷物運搬具の第２の姿勢における右側面図である。
【図１５】本発明に係る荷物運搬具を用いて荷物を運搬している状態を示した説明図である。
【図１６】第１の荷物載置部に荷物を載置した状態を示す説明図である。
【図１７】本発明に係る荷物運搬具の他の実施形態を示す説明図である。
【図１８】本発明に係る荷物運搬具の他の実施形態を示す説明図である。
【図１９】本発明に係る荷物運搬具の他の実施形態を示す説明図である。
【符号の説明】
【００９９】
１  第１の板
２  第２の板
４  切欠部
９  第１の荷物載置部
11  第２の荷物載置部
13  屈曲部
21  ベルト
Ｂ  作業者
【図１】
2007302448.tif 000003
【図２】
2007302448.tif 000004
【図３】
2007302448.tif 000005
【図４】
2007302448.tif 000006
【図５】
2007302448.tif 000007
【図６】
2007302448.tif 000008
【図７】
2007302448.tif 000009
【図８】
2007302448.tif 000010
【図９】
2007302448.tif 000011
【図１０】
2007302448.tif 000012
【図１１】
2007302448.tif 000013
【図１２】
2007302448.tif 000014
【図１３】
2007302448.tif 000015
【図１４】
2007302448.tif 000016
【図１５】
2007302448.tif 000017
【図１６】
2007302448.tif 000018
【図１７】
2007302448.tif 000019
【図１８】
2007302448.tif 000020
【図１９】
2007302448.tif 000021